(57)【要約】  【課題】噴射されるスチームの温度を高温且つ均一とし、布のしわ伸ばしの効果を向上させるスチームアイロンを提供する。【解決手段】ヒータ２と、ヒータ２上で加熱される気化室４と、複数のスチーム噴射孔６を有するベース７と、水を貯えるタンクと、スチームボタンを備えたスチームアイロン１において、気化室４内のスチーム通路５は、ベース７内からスチーム噴射孔６が形成されている部分の直前までの第１スチーム通路５ａと、スチーム噴射孔６が形成されている部分に形成された第２スチーム通路５ｂとで形成されており、第２スチーム通路５ｂは、第２スチーム通路５ｂを中間の位置で分割され、それぞれの第２スチーム通路５ｂの略中央部分で、第１スチーム通路５ａと接続され、第１スチーム通路５ａは分割された第２スチーム通路５ｂの一方の長さに比べ長く形成されている。【選択図】      図３
2011030717.tif 000002
【特許請求の範囲】
【請求項１】
複数のスチーム噴射孔と気化室を有するベースと、前記ベースに重ねて取り付けられたヒータと、前記ベースを覆う蓋体と、前記蓋体の上方に位置して水を貯えるタンクと、前記タンク内に蓄えられた水を前記気化室へ供給するための給水路と、前記タンクからの水の供給を制御するスチームボタンを備え、
前記スチームボタンが操作されることにより前記タンク内の水が前記給水路を通じて前記ヒータにより加熱された前記気化室の水滴下位置に送られ、前記気化室で気化されたスチームが前記気化室に形成されたスチーム通路を経由されて前記スチーム噴射孔から噴射されるスチームアイロンにおいて、
前記気化室に形成されたスチーム通路は、前記ベース内から前記スチーム噴射孔が形成されている部分の直前までに形成された第１スチーム通路と、前記スチーム噴射孔が形成されている部分に形成された第２スチーム通路とで形成されており、
前記第２スチーム通路は、前第２スチーム通路を中間の位置を基準として分割され、前記分割されたそれぞれの第２スチーム通路の略中央部分で、第１スチーム通路と接続されており、
前記第１スチーム通路は前記分割された第２スチーム通路の一方の長さに比べ長く形成されていることを特徴とするスチームアイロン。
【請求項２】
前記気化室の前記水滴下位置は、前記第１スチーム通路の舌端であり、且つ前記第１スチーム通路の始端と前記第１スチーム通路と前記第２スチーム通路が接続される部分の直前までを結んだときの距離が最も長くなる位置であることを特徴とする請求項１に記載のスチームアイロン。
【請求項３】
前記ベースの前記第１スチーム通路が形成されている部分には、前記第１スチーム通路に沿って複数の壁（突起）が形成されていることを特徴とする請求項１又は２に記載のスチームアイロン。
【請求項４】
前記第１スチーム通路は、前記第２スチーム通路の前記第１スチーム通路と接続する部分から前記第２スチーム通路の端部までの距離の略３倍であることを特徴とする請求項１〜３のいずれかに記載のスチームアイロン。
【請求項５】
前記複数のスチーム噴射孔から噴射されるすべての前記スチームの温度は、略２２０℃であることを特徴とする請求項１〜４に記載のスチームアイロン。
【発明の詳細な説明】
【技術分野】
【０００１】
本発明は、衣類等にスチームを吹付けながらプレスできるスチーム噴射機能を有するスチームアイロンに関する。詳しくは、噴射するスチームを高温の状態とし且つ複数のスチーム噴射孔から均一な温度のスチームを噴射することができ、スチームの温度ムラを抑制し、布地のあてむらを押さえ、しわ伸ばしの効率を向上させたスチームアイロンを提供するものである。
【背景技術】
【０００２】
衣類等にアイロンをかける際に、しわを伸ばし、形を整えるのを容易にするため、スチームを吹付けて効率よくプレスできるように、スチーム噴射機能を備えたいわゆるスチームアイロンが知られている。このスチームアイロンを使用して、衣類等にスチームを噴射してプレスをするときに、スチームアイロンに備えたタンクからノズルを介してベースに形成された気化室に供給された水が加熱されスチームとなり、このスチームがベースの下面に形成されたスチーム噴射孔を通して衣類等の繊維に十分に行きわたるように供給されることで、アイロン掛けの仕上がりを向上させている。
【０００３】
従来のこの種のスチームアイロンの発明が下記特許文献１に開示されている。すなわち、下記特許文献１に開示されたスチームアイロン３０の発明は、図５に示すように、ヒータ３１によって加熱され、通常スチームを発生させる気化室Ａ３３と増量スチームを発生させる気化室Ｂ３４を有するベース３２と、通常スチームおよび増量スチームを噴射させるスチーム穴３５と、ベース３２の温度を感知する熱受感部で感知された温度に応じてヒータ３１への通電を制御してベース３２の温度を調節する不図示の温度制御手段を備えた構成をしている。このような構成を備えることにより、気化室Ｂで発生させた増量スチームを気化室Ａ３３を経由させてスチーム穴３５から噴射させることができ、増量スチームを発生させるための気化室通路長が通常スチームの通路より長くなるので、効率よくスチームを発生させることができ、しわ伸ばしを効率よく行うことができるスチームアイロンを提供することができるとされている。
【先行技術文献】
【特許文献】
【０００４】
【特許文献１】特開２００７−１３０１２７号公報（段落〔０００８〕、〔００１８〕、図１）
【発明の概要】
【発明が解決しようとする課題】
【０００５】
ところで、上記特許文献１に開示されたスチームアイロンにおいては、布地に対して適当な量のスチームを提供することができるが、そのスチームの温度は、スチームがスチーム穴３５から噴射させるまでの間に、気化室Ａ３３及び気化室Ｂ３４を通過し、各スチーム穴３５に到達するまでに時間差があり最初に供給されるスチーム穴３５からのスチームと最後に供給されるスチーム穴３５からのスチームとではスチームの温度にムラが発生するおそれがある。この温度ムラがあることにより布地のしわ伸ばしの効率が落ちることとなる。
【０００６】
本発明は、衣類等をアイロン掛けする際に、しわを伸ばし、形を整えるのを容易にするため、スチーム噴射機能を備えたいわゆるスチームアイロンにおいて、衣類等にスチームを噴射してプレスをするときに、噴射するスチームを高温の状態とし且つ複数のスチーム噴射孔から均一な温度のスチームを噴射することができるような構造とすることにより、アイロンがけの仕上がりを向上するようにしたものである。
【０００７】
本発明は、上記のような課題を解決するためになされたもので、スチームを発生させる気化室に形成されるスチーム通路を特別な構造とすることで、噴射するスチームを高温の状態とし且つ複数のスチーム噴射孔から均一な温度のスチームを噴射することで、スチームの温度ムラを抑制し、布地のあてむらを押さえ、しわ伸ばしの効率を向上させたスチームアイロンを提供することを目的とする。
【課題を解決するための手段】
【０００８】
上記課題を解決するために、請求項１に記載のスチームアイロンの発明は、複数のスチーム噴射孔と気化室を有するベースと、前記ベースに重ねて取り付けられたヒータと、前記ベースを覆う蓋体と、前記蓋体の上方に位置して水を貯えるタンクと、前記タンク内に蓄えられた水を前記気化室へ供給するための給水路と、前記タンクからの水の供給を制御するスチームボタンを備え、
前記スチームボタンが操作されることにより前記タンク内の水が前記給水路を通じて前記ヒータにより加熱された前記気化室の水滴下位置に送られ、前記気化室で気化されたスチームが前記気化室に形成されたスチーム通路を経由されて前記スチーム噴射孔から噴射されるスチームアイロンにおいて、
前記気化室に形成されたスチーム通路は、前記ベース内から前記スチーム噴射孔が形成されている部分の直前までに形成された第１スチーム通路と、前記スチーム噴射孔が形成されている部分に形成された第２スチーム通路とで形成されており、
前記第２スチーム通路は、前第２スチーム通路を中間の位置を基準として分割され、前記分割されたそれぞれの第２スチーム通路の略中央部分で、第１スチーム通路と接続されており、
前記第１スチーム通路は前記分割された第２スチーム通路の一方の長さに比べ長く形成されていることを特徴とする。
【０００９】
また、請求項２に記載の発明は、請求項１に記載のスチームアイロンにおいて、前記気化室の前記水滴下位置は、前記第１スチーム通路の舌端であり、且つ前記第１スチーム通路の始端と前記第１スチーム通路と前記第２スチーム通路が接続される部分の直前までを結んだときの距離が最も長くなる位置であることを特徴とする。
【００１０】
また、請求項３に記載の発明は、請求項１又は２に記載のスチームアイロンにおいて、前記ベースの前記第１スチーム通路が形成されている部分には、前記第１スチーム通路に沿って複数の壁（突起）が形成されていることを特徴とする。
【００１１】
また、請求項４に記載の発明は、請求項１〜３のいずれかに記載のスチームアイロンにおいて、前記第１スチーム通路は、前記第２スチーム通路の前記第１スチーム通路と接続する部分から前記第２スチーム通路の端部までの距離の略３倍であることを特徴とする。
【００１２】
また、請求項５に記載の発明は、請求項１〜４のいずれかに記載のスチームアイロンにおいて、前記複数のスチーム噴射孔から噴射されるすべての前記スチームの温度は、略２２０℃であることを特徴とする。
【発明の効果】
【００１３】
本発明は上記構成を備えることにより、以下に示すような優れた効果を奏する。すなわち、請求項１に記載のスチームアイロンの発明によれば、スチームが通過する第１スチーム通路と第２スチーム通路が形成されている。さらに第２スチーム通路は略馬蹄形の第２スチーム通路を中間の位置で分割され、さらに分割された第２スチーム通路のそれぞれの略中央部分で、第１スチーム通路と接続されている。このとき、分割された一方の第２スチーム通路に比べ第１スチーム通路が長めに形成されている。そして、第２スチーム通路はこの接続した部分を中心として２方向に分かれて略同じ長さの通路が形成されている。そのため、長めの第１スチーム通路で過熱されたスチームは、分割されたそれぞれの第２スチーム通路で２方向に分かれて通過する際、ベースに接して通過する時間が略同じとなる。
【００１４】
このような構造とすることで、長めに形成された第１スチーム通路を通過する際、加熱されたベースに接触する時間が長くなるため、スチームはだんだんと加熱されて過熱スチームとなり、第２スチーム通路を通過する際、ベースに接して通過する時間が略同じとなる。よって、本発明のスチームアイロンによれば、噴射するスチームを高温の状態とし、且つ複数のスチーム噴射孔から均一な温度のスチームを噴射することができるので、スチームの温度ムラを抑制し、布のしわのばしの効果を向上させることができる。
【００１５】
請求項２の発明では、請求項１に記載のスチームアイロンにおいて、タンクから水が供給される水滴下位置は、この水滴下位置と第１スチーム通路と前記第２スチーム通路が接続される部分、すなわち第１スチーム通路が終わる部分とを結んだ距離が最も長くなる位置に形成され、水が供給されている。このような構造とすることで、水滴下位置は第1スチーム通路の終わりから最も離れた位置に設けることができ、水滴下位置で発生したスチームは、第1スチーム通路の最も長い距離を進むこととなるので、スチームはさらに過熱されることとなる。また、第１スチーム通路の形状がどのような形状で形成されたとしても、水滴下位置は第1スチーム通路が最も長い距離となる位置に形成されることとなる。以上より、請求項２の発明によれば、スチームは第１スチーム通路の最も長い距離を進むことができるのでスチームを効率よく加熱することができる。
【００１６】
また、請求項３の発明によれば、請求項１又は２に記載のスチームアイロンにおいて、スチームをベースの水滴下位置で発生させたとき、このスチームは、第１スチーム通路を通る際、第１スチーム通路のベースに壁（突起）が形成されているため、スチームが加熱されたベースと接触する面積が大きくなる。そのため、本発明のスチームアイロンによれは、スチームの温度を効率よく上昇させることができるので、噴射するスチームを高温の状態とすることができ、布のしわ伸ばしの効果をさらに向上させることができる。
【００１７】
また、請求項４の発明によれば、請求項１乃至３のいずれか１に記載のスチームアイロンにおいて、第１スチーム通路の長さが長いのでスチームの過熱を十分に行うことができ、さらにこの過熱された高温のスチームの温度を均一に保つことができる。なお、第１スチーム通路の長さを第２スチーム通路の第１スチーム通路と接続する部分から第２スチーム通路の端部までの距離の３倍を越えるようにしても、スチームの過熱化の効率が飽和してしまうし、しかも、限られたスペースで長い長さの第１スチーム通路を形成するための構成が複雑となるので好ましくない。
【００１８】
また、請求項５の発明によれば、請求項１〜４のいずれかに記載のスチームアイロンにおいて、複数のスチーム噴射孔から噴射されるすべてのスチームの温度が略２２０℃となるようにしたので、安定した布のしわのばしが可能となる。
【図面の簡単な説明】
【００１９】
【図１】本発明の実施形態に係るスチームアイロンの上面図である。
【図２】図１のII−II線での断面図である。
【図３】本発明の実施形態に係るスチームアイロンの蓋体から上部を取り除いたベースの上面図である。
【図４】本発明の実施形態に係るスチームアイロンと従来例のスチームアイロンとのスチーム温度とスチーム噴射孔の距離との関係をグラフとして示した図である。
【図５】従来のスチームアイロンの気化室を示した上面図である。
【図６】他の従来のスチームアイロンの図３に対応する上面図である。
【発明を実施するための形態】
【００２０】
以下、図面を参照して本発明の実施形態を説明する。但し、以下に示す実施形態は、本発明の技術的思想を具体化するためのスチームアイロンを例示するものであって、本発明をこのスチームアイロンに特定することを意図するものではなく、特許請求の範囲に含まれるその他の実施形態のものにも等しく適応し得るものである。
【００２１】
〔実施形態〕
本実施形態に係るスチームアイロン１は、図１及び図２に示すように、ヒータ２が埋設され且つタンク３から滴下した水によりスチームを生成する気化室４、気化室４の一部であり生成されたスチームをスチーム噴射孔６へ導くためのスチーム通路５、及びこのスチーム通路５を経由したスチームを外へ吐出するための複数のスチーム噴射孔６を有するベース７と、アイロン本体部９とで構成されたいわゆる滴下式のスチームアイロンである。
【００２２】
アイロン本体部９は、ベース７の気化室４の上方に位置して気化室４へ水を供給するカセット式のタンク３と、このタンク３内に貯留された水の気化室４への供給開始（スチーム生成開始）や供給停止（スチーム生成終了）を決定するスチームボタン１０と、タンク３の上方にあってスチームアイロン１を把持するためのハンドル１１等で構成されている。
【００２３】
ベース７の上方にはベースカバー１２が固定され、このベースカバー１２の上部にアイロン本体部９が固定されている。アイロン本体部９のハンドル１１の内部には、ヒータ等を制御する図示しない制御基板が収容されている。ハンドル１１の前方には、ショットスチームボタン１３とスプレーボタン１４が並べて設けられている。
【００２４】
ベースカバー１２の上部にはタンク３が着脱自在に取付けられており、このタンク３は、全体として後方に開いたＵ字型の形状をなし、その両側の袖部が貯水部となっている。そして、タンク３の前側には注水口１５及びこの注水口１５を塞ぐ注水口蓋１６が設けられている。タンク３は、空洞内に注水口１５から注がれる水を貯留できる。
【００２５】
タンク３は、アイロン本体部９に装着したとき、タンク３の底部に設けた図示しないノズルが弾性筒状パッキンと給水路で結合される。そして、注水口１５からタンク３内に入れられた水は、ノズルから給水路を経て弾性筒状パッキンの孔を通って気化室４の水滴下位置１８（図３参照）に供給される。弾性筒状パッキンは、シリコンゴム等の耐熱性でかつ熱絶縁性の良い材料により形成されており、ベース７の上面を被う気化室４の蓋体１９とベースカバー１２の間に取り付けられる。また、ノズルはスチームボタン１０によって駆動される開閉レバーの操作で開閉され、気化室４への水の供給が制御される。
【００２６】
スチームボタン１０を切り替えることにより、タンク３に連結した図示しないノズルの先端部が開放され、このノズルから流出する水滴がベース７の気化室４へ滴下され、これにより、気化室４でスチームが生成されるように構成されている。なお、滴下式のスチーム生成機構は、公知技術であるためここでの詳細説明は省略する。
【００２７】
ベース７は、図３に示すように、所定長の底辺を有し、前側先端部に尖った頂部を有し、所定の肉厚を有するほぼ三角形状の板状体からなり、アルミ等の熱伝導性の高い金属材料で形成されている。このベース７は、ほぼ中央上部に所定の大きさの開口及び深さを有する凹状穴からなる気化室４が形成され、その周囲下方にはヒータ２が埋設されている。
【００２８】
また、ベース７には、その外周囲縁の近傍に気化室の一部分として、生成されたスチームをスチーム噴射孔６に誘導するためのスチーム通路５が設けられている。このスチーム通路５は、所定幅及び深さを有する凹状溝で形成されている。このスチーム通路５の凹状溝内にベース７の底面へ向けて貫通する複数の開口が所定間隔で略馬蹄形に設けられている。なお、本実施形態では開口が２２個形成された場合を例示している。これらの開口がベース７に所定間隔で設けた複数のスチーム噴射孔６となる。
【００２９】
さらに、このスチーム通路５は、気化室４内に形成される第１スチーム通路５ａと、複数のスチーム噴射孔６が形成された部分に形成された第２スチーム通路５ｂとで構成される。
【００３０】
第１スチーム通路５ａは、気化室４の水滴下位置１８から第２スチーム通路５ｂと接続される直前までの通路で形成されている。さらに、第１スチーム通路５ａには、ベース７から複数の壁（突起）２１が形成されている。
【００３１】
一方、第２スチーム通路５ｂは、複数のスチーム噴射孔６が形成された部分と同じように略馬蹄形をしており、この略馬蹄形の第２スチーム通路５ｂを中間の位置で分割し、この分割された第２スチーム通路５ｂのそれぞれの略中央部分で、第１スチーム通路５ａと接続されている。第２スチーム通路５ｂは第１スチーム通路５ａと接続した部分でそれぞれ２方向に分けられる。
【００３２】
ここで、第２スチーム通路５ｂが第１スチーム通路５ａと接続された位置を中心として、２つに分けられた一方を第２スチーム通路Ａ５ｂＡとし、他方を第２スチーム通路Ｂ５ｂＢとする。このとき、第２スチーム通路Ａ５ｂＡと第２スチーム通路Ｂ５ｂＢの長さは、第２スチーム通路５ｂの半分の長さの中央部分で分けられているので、略同じとなる。
【００３３】
尚、気化室４及びスチーム通路５は、その上方が蓋体１９によって塞がれることにより密閉された空間となる。そして、蓋体１９は、ベース７に設けたネジとネジ穴（図示省略）によってベース７に固定される。
【００３４】
また、ベース７の底面には、略馬蹄形に配列した円形の開口が複数個（本実施例では２２個の場合を例示）形成され、これらの開口がベース７に形成された複数のスチーム噴射孔６と対応し、スチームを噴射することができる。
【００３５】
次に、図３及び図６を参照して本実施形態のスチームアイロンと従来のスチームアイロンとを比較して説明する。
【００３６】
図６は従来のスチームアイロンの１例を示した図であり、ベースに形成されるスチーム通路の形状が、本実施形態のスチームアイロンのスチーム通路と異なっている。なお、従来のスチームアイロンの他の構成は、本実施形態のスチームアイロンと同様であるので、同一の構成については、同一の符号を付し、詳細な説明は省略する。
【００３７】
従来のスチームアイロン１Ａのスチーム通路５’は、本実施形態に合わせて第１スチーム通路５ａ’と第２スチーム通路５ｂ’に分けて説明すると、従来の第１スチーム通路５ａ’は本実施形態の第１スチーム通路５ａと同様に気化室４の水滴下位置１８から第２スチーム通路５ｂ'と接続される直前までの通路で形成されている。しかし、従来の第１スチーム通路５ａ’は本実施形態の第１スチーム通路５ａに比べ、通路は幅広で、通路の長さは短く、さらにベース７に壁（突起）は形成されていない。
【００３８】
一方、従来の第２スチーム通路５ｂ’は、本実施形態の第２スチーム通路５ｂと同様に複数のスチーム噴射孔６が形成された部分と同じような略馬蹄形をしているが、第１スチーム通路５ａ’と接続される位置が異なり、この接続位置は馬蹄形の第２スチーム通路５ｂ’のそれぞれの端部で第１スチーム通路５ａ’の接続部２０’で接続されている。
【００３９】
このような構成の従来のスチームアイロン１Ａでは、スチームをベース７の水滴下位置１８で発生させたとき、このスチームは、まず、第１スチーム通路５ａ’を通る際、第１スチーム通路５ａ’が短く、通路の幅も広いためベース７と接触する時間があまりなく、また、第１スチーム通路５ａ’のベース７に壁（突起）もないため、接触する面積も小さい。そのため、スチームの温度はあまり上がらないまま第２スチーム通路５ｂ’へ導かれる。このときのスチームの温度は略２００℃である。
【００４０】
そして、第２スチーム通路５ｂ’へ導かれたスチームは、複数のスチーム噴射孔６から噴射されるが、スチームは第２スチーム通路５ｂ’の端部から流れ込むので、まず、第１スチーム通路５ａ’との接続部２０’から最も近い位置のスチーム噴射孔６ｎ'から噴射される。このときのスチームの温度は、第１スチーム通路での温度と略同じの、あまり高温でないスチームが噴射される。
【００４１】
一方、第２スチーム通路５ｂ’の最も遠い位置のスチーム噴射孔６ｆ'から噴射されるスチームは、第２スチーム通路５ｂ’を通過するうちにベース７に接触している時間があるため、スチームが加熱され温度が上昇して高温の状態となり、この高温の状態のスチームがスチーム噴射孔６ｆ'から噴射される。このときのスチームの温度は略２２０℃である。
【００４２】
なお、従来のスチームアイロンのスチーム温度と第２スチーム通路の端部から中間部分までの関係を図４に示す。
【００４３】
すなわち、従来のスチームアイロン１Ａでスチームを噴射したときは、スチームが噴射される位置により、スチームの温度が異なってしまうこととなる。このようなスチームアイロンを使用すると、温度ムラが発生し、しわ伸ばしの効果が悪くなってしまうおそれがある。
【００４４】
一方、本実施形態のスチームアイロン１では、図３に示すように、第１スチーム通路５ａは、第１スチーム通路の舌端であり、且つ第１スチーム通路の始点となる気化室４の水滴下位置１８から第２スチーム通路５ｂと接続される直前までの通路で形成されており、通路は狭く、通路の長さは長く、さらに第１スチーム通路５ａのベース７には壁（突起）２１が形成されている。
【００４５】
また、第２スチーム通路５ｂは、第２スチーム通路５ｂは複数のスチーム噴射孔６が形成された部分と同じような略馬蹄形の第２スチーム通路５ｂを中間の位置で分割し、さらにこの分割された第２スチーム通路５ｂのそれぞれの略中央部分で、第１スチーム通路５ａの接続部２０で接続されている。そして、この第２スチーム通路５ｂを第１スチーム通路５ａと接続された位置を中心として、さらに分割して、一方を第２スチーム通路Ａ５ｂＡとし、他方を第２スチーム通路Ｂ５ｂＢとすると、第２スチーム通路Ａ５ｂＡと第２スチーム通路Ｂ５ｂＢの長さは、第２スチーム通路５ｂの半分の長さの中央部分で分けられているので、略同じ長さとなる。
【００４６】
本実施形態のスチームアイロン１のスチーム通路５を、このような構造とすると、スチームをベース７の水滴下位置１８で発生させたとき、このスチームは、まず、第１スチーム通路５ａを通る際、第１スチーム通路５ａが長く、通路の幅も狭いためベース７と接触する時間も長くなる。また、第１スチーム通路５ａのベース７に壁２１（突起）が形成されているため、スチームが加熱されたベースと接触する面積も大きくなる。そのため、スチームはベース７の水滴下位置１８でスチームが発生してから、第１スチーム通路５ａで加熱されながら通過し、スチームの温度もだんだんと上昇していき、この高温の状態となったスチームが第２スチーム通路５ｂへ導かれる。このときのスチームの温度は略２２０℃である。
【００４７】
そして、第２スチーム通路５ｂへ導かれたスチームは、複数のスチーム噴射孔６から噴射されるが、スチームは第２スチーム通路５ｂの半分の長さのそれぞれの略中央部分から流れ込むので、まず、第１スチーム通路５ａとの接続部２０から最も近い位置のスチーム噴射孔６ｎから噴射される。このときのスチームの温度は、第１スチーム通路５ａでの温度と同じ略２２０℃の高温の状態のスチームが噴射される。
【００４８】
一方、第２スチーム通路５ｂの接続部２０から最も遠い位置のスチーム噴射孔６ｆから噴射されるスチームは、分割された短い距離の第２スチーム通路Ａ５ｂＡ及び第２スチーム通路Ｂ５ｂＢを通過するので、ベース７に接して通過する時間が略同じであり、接している時間も短いので、スチームの温度は高温で且つ均一に保つことができる。このときのスチーム噴射孔６ｆから噴射されるスチームの温度は２２０℃である。
【００４９】
なお、本実施形態のスチームアイロンのスチーム温度と第２スチーム通路の端部から中間部分までの関係を図４に示す。
【００５０】
ここで、従来のスチーム温度と比較してみても、本実施形態のスチームアイロンのスチーム温度は略均一に高温を保っている。しかし、従来のスチームアイロンのスチーム温度は、第１スチーム通路と接続された第２スチーム通路の端部と第２スチーム通路の中間部分では、中間部分に近づくにつれてスチーム温度が高くなってきているので、スチーム温度を均一に保つことができていないことがわかる。
【００５１】
したがって、本実施形態のスチームアイロン１でスチームを噴射したときに、このように、第２スチーム通路Ａ５ｂＡと第２スチーム通路Ｂ５ｂＢの長さが同じなるようにすることで、複数のスチーム噴射孔６から噴射されるスチームの温度を略同じとすることができる。
【００５２】
その結果、本発明のスチームアイロン１によれば、噴射されるスチームを加熱し高温の状態とし且つ複数のスチーム噴射孔から均一な温度のスチームを噴射することができるので、スチームの温度ムラを抑制し、布のしわのばしの効果を向上させることができる。
【００５３】
なお、以上の実施形態において、タンクが、アイロン本体に着脱可能なカセット式タンクである場合を説明したが、アイロン本体に作り付けの固定タンクでも差し支えなく、本発明のスチームアイロンは、どちらの場合にも適用できるものであり、タンクの方式は特に限定されるものではない。
【００５４】
また、上記の実施形態ではスチーム噴射孔が２２個の場合を説明したが、これに限らず、スチーム噴射孔の数は、２２個より多くてもよく、また少なくてもよい。
【００５５】
また、本実施形態では、噴射するスチームの温度を２２０℃として説明したが、これに限らず、使用状況に応じて、スチーム温度を適宜変更することもできる。その際、２２０℃より低い温度のスチームを噴射する場合でも、複数のスチーム噴射孔から噴射されるスチームの温度は均一とすることができる。
【００５６】
以上説明したように、本発明のスチームアイロンによれば、布のしわ伸ばしの効果が向上するスチームアイロンを提供することができる。
【符号の説明】
【００５７】
１、１Ａ        スチームアイロン
２              ヒータ
３              タンク
４              気化室
５，５’        スチーム通路
５ａ、５ａ’    第１スチーム通路
５ｂ，５ｂ’    第２スチーム通路
５ｂＡ          第２スチーム通路Ａ
５ｂＢ          第２スチーム通路Ｂ
６              スチーム噴射孔
６ｎ，６ｎ’    最も近い位置のスチーム噴射孔
６ｆ，６ｆ’    最も遠い位置のスチーム噴射孔
７              ベース
９              アイロン本体部
１０            スチームボタン
１１            ハンドル
１２            ベースカバー
１３            ショットスチームボタン
１４            スプレーボタン
１５            注水口
１６            注水口蓋
１８            水滴下位置
１９            蓋体
２０            接続部
２１            壁（突起）
【図１】
2011030717.tif 000003
【図２】
2011030717.tif 000004
【図３】
2011030717.tif 000005
【図４】
2011030717.tif 000006
【図５】
2011030717.tif 000007
【図６】
2011030717.tif 000008